【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
磁気テープの厚み方向において一方向に磁化した部分と前記一方向とは逆方向に磁化した部分とからなる磁気パターンを磁気テープの走行方向に所定間隔で繰り返すサーボ信号が予め書き込まれた磁気テープに対する磁気ヘッドのトラッキング制御方法であって、
サーボ信号を読み取って、前記磁気パターンに対応した互いに逆極性の一対のピークを有する単位波形を繰り返すサーボ信号の波形を取得する波形取得工程と、
取得したサーボ信号の波形を構成する各単位波形から、サーボ信号が書き込まれたときの磁気テープの走行方向における後側のピークを含む山形または谷形の波形を選択する波形選択工程と、
選択した波形に基づいて前記磁気ヘッドの位置を制御する位置制御工程と、を有することを特徴とする磁気ヘッドのトラッキング制御方法。
【請求項２】
磁気テープの厚み方向において一方向に磁化した部分と前記一方向とは逆方向に磁化した部分とからなる磁気パターンを磁気テープの走行方向に所定間隔で繰り返すサーボ信号が書き込まれた磁気テープのサーボ信号の品質を評価するサーボ信号検査方法であって、
サーボ信号を読み取って、前記磁気パターンに対応した互いに逆極性の一対のピークを有する単位波形を繰り返すサーボ信号の波形を取得する波形取得工程と、
取得したサーボ信号の波形を構成する各単位波形から、サーボ信号を書き込んだときの磁気テープの走行方向における後側のピークを含む山形または谷形の波形を選択する波形選択工程と、
選択した波形に基づいてサーボ信号の品質を評価する信号検査工程と、を有することを特徴とするサーボ信号検査方法。
【請求項３】
磁気テープの厚み方向において一方向に磁化した部分と前記一方向とは逆方向に磁化した部分とからなる磁気パターンを磁気テープの走行方向に所定間隔で繰り返すサーボ信号が予め書き込まれた磁気テープに対し、情報の記録および／または再生を行う磁気テープドライブであって、
磁気テープに対して情報の記録および／または再生を行う第１素子とサーボ信号を読み取る第２素子を有する磁気ヘッドと、
前記第２素子が読み取ったサーボ信号から、前記磁気パターンに対応した互いに逆極性の一対のピークを有する単位波形を繰り返すサーボ信号の波形を取得する波形取得部と、
取得したサーボ信号の波形を構成する各単位波形から、サーボ信号が書き込まれたときの磁気テープの走行方向における後側のピークを含む山形または谷形の波形を選択する波形選択部と、
選択した波形に基づいて前記磁気ヘッドの位置を制御する位置制御部と、を備えることを特徴とする磁気テープドライブ。
【請求項４】
磁気テープの厚み方向において一方向に磁化した部分と前記一方向とは逆方向に磁化した部分とからなる磁気パターンを磁気テープの走行方向に所定間隔で繰り返すサーボ信号を磁気テープに書き込むサーボライタであって、
磁気テープにサーボ信号を書き込む書込ヘッドと、
前記書込ヘッドにパルス信号を出力する信号出力部と、
磁気テープの走行方向における前記書込ヘッドの下流側に設けられてサーボ信号を読み取る読取ヘッドと、
前記読取ヘッドが読み取ったサーボ信号から、前記磁気パターンに対応した互いに逆極性の一対のピークを有する単位波形を繰り返すサーボ信号の波形を取得する波形取得部と、
取得したサーボ信号の波形を構成する各単位波形から、サーボ信号を書き込んだときの磁気テープの走行方向における後側のピークを含む山形または谷形の波形を選択する波形選択部と、
選択した波形に基づいてサーボ信号の品質を評価する信号検査部と、を備えることを特徴とするサーボライタ。
【手続補正２】
【補正対象書類名】明細書
【補正対象項目名】０００３
【補正方法】変更
【補正の内容】
【０００３】
このようなサーボ信号は、例えば、垂直磁気記録に用いられる磁気テープ（磁気テープに含まれる磁性体を磁気テープの厚み方向に磁化することで情報の記録を行う磁気テープ）においては、磁気テープの厚み方向の一方向に磁化した部分と、当該一方向とは逆方向に磁化した部分とからなる磁気パターンを、磁気テープの走行方向に所定間隔で書き込むことにより形成されている（例えば、特許文献１参照）。
【手続補正３】
【補正対象書類名】明細書
【補正対象項目名】０００８
【補正方法】変更
【補正の内容】
【０００８】
以上を踏まえ、前記した目的を達成するための本発明は、磁気テープの厚み方向において一方向に磁化した部分と前記一方向とは逆方向に磁化した部分とからなる磁気パターンを磁気テープの走行方向に所定間隔で繰り返すサーボ信号が予め書き込まれた磁気テープに対する磁気ヘッドのトラッキング制御方法であって、サーボ信号を読み取って、前記磁気パターンに対応した互いに逆極性の一対のピークを有する単位波形を繰り返すサーボ信号の波形を取得する波形取得工程と、取得したサーボ信号の波形を構成する各単位波形から、サーボ信号が書き込まれたときの磁気テープの走行方向における後側のピークを含む山形または谷形の波形を選択する波形選択工程と、選択した波形に基づいて前記磁気ヘッドの位置を制御する位置制御工程と、を有することを特徴とする。
【手続補正４】
【補正対象書類名】明細書
【補正対象項目名】００１０
【補正方法】変更
【補正の内容】
【００１０】
ここで、本発明における磁気テープは、磁気テープの厚み方向に磁化した成分（磁性体の極の厚み方向に向いた成分）の角形比（以下、本明細書において「垂直ＳＱ」という。）が０．５以上であることが望ましい。なお、上記した垂直ＳＱの値は、反磁界補正後の数値である。
【手続補正５】
【補正対象書類名】明細書
【補正対象項目名】００１１
【補正方法】変更
【補正の内容】
【００１１】
また、前記した目的を達成するための本発明は、磁気テープの厚み方向において一方向に磁化した部分と前記一方向とは逆方向に磁化した部分とからなる磁気パターンを磁気テープの走行方向に所定間隔で繰り返すサーボ信号が書き込まれた磁気テープのサーボ信号の品質を評価するサーボ信号検査方法であって、サーボ信号を読み取って、前記磁気パターンに対応した互いに逆極性の一対のピークを有する単位波形を繰り返すサーボ信号の波形を取得する波形取得工程と、取得したサーボ信号の波形を構成する各単位波形から、サーボ信号を書き込んだときの磁気テープの走行方向における後側のピークを含む山形または谷形の波形を選択する波形選択工程と、選択した波形に基づいてサーボ信号の品質を評価する信号検査工程と、を有することを特徴とする。
【手続補正６】
【補正対象書類名】明細書
【補正対象項目名】００１３
【補正方法】変更
【補正の内容】
【００１３】
また、前記した目的を達成するための本発明は、磁気テープの厚み方向において一方向に磁化した部分と前記一方向とは逆方向に磁化した部分とからなる磁気パターンを磁気テープの走行方向に所定間隔で繰り返すサーボ信号が予め書き込まれた磁気テープに対し、情報の記録および／または再生を行う磁気テープドライブであって、磁気テープに対して情報の記録および／または再生を行う第１素子とサーボ信号を読み取る第２素子を有する磁気ヘッドと、前記第２素子が読み取ったサーボ信号から、前記磁気パターンに対応した互いに逆極性の一対のピークを有する単位波形を繰り返すサーボ信号の波形を取得する波形取得部と、取得したサーボ信号の波形を構成する各単位波形から、サーボ信号が書き込まれたときの磁気テープの走行方向における後側のピークを含む山形または谷形の波形を選択する波形選択部と、選択した波形に基づいて前記磁気ヘッドの位置を制御する位置制御部と、を備えることを特徴とする。
【手続補正７】
【補正対象書類名】明細書
【補正対象項目名】００１５
【補正方法】変更
【補正の内容】
【００１５】
また、前記した目的を達成するための本発明は、磁気テープの厚み方向において一方向に磁化した部分と前記一方向とは逆方向に磁化した部分とからなる磁気パターンを磁気テープの走行方向に所定間隔で繰り返すサーボ信号を磁気テープに書き込むサーボライタであって、磁気テープにサーボ信号を書き込む書込ヘッドと、前記書込ヘッドにパルス信号を出力する信号出力部と、磁気テープの走行方向における前記書込ヘッドの下流側に設けられてサーボ信号を読み取る読取ヘッドと、前記読取ヘッドが読み取ったサーボ信号から、前記磁気パターンに対応した互いに逆極性の一対のピークを有する単位波形を繰り返すサーボ信号の波形を取得する波形取得部と、取得したサーボ信号の波形を構成する各単位波形から、サーボ信号を書き込んだときの磁気テープの走行方向における後側のピークを含む山形または谷形の波形を選択する波形選択部と、選択した波形に基づいてサーボ信号の品質を評価する信号検査部と、を備えることを特徴とする。
【手続補正８】
【補正対象書類名】明細書
【補正対象項目名】００２１
【補正方法】変更
【補正の内容】
【００２１】
ここで、実施形態に係る磁気テープＭＴについて簡単に説明する。
図２に示すように、磁気テープＭＴは、主に、ベースフィルムＢと、ベースフィルムＢ上に形成された磁性層Ｍとを備えて構成されている。この磁気テープＭＴは、磁性層Ｍに含まれる磁性体（磁気双極子）を厚み方向（図２の上下方向）に磁化することで、サーボ信号やデータ（情報）の書き込みが行われる記録媒体であり、垂直ＳＱが０．５以上であることが望ましい。
【手続補正９】
【補正対象書類名】明細書
【補正対象項目名】００２４
【補正方法】変更
【補正の内容】
【００２４】
なお、本発明において、磁性層Ｍを構成する磁性体やバインダーの種類は、垂直磁気記録に適する限り特に限定されない。また、磁性層Ｍは、カーボンブラックや公知の研磨剤、潤滑剤などを含んでいてもよい。さらに、磁気テープＭＴは、公知の非磁性層やバックコート層などを有するものであってもよい。
【手続補正１０】
【補正対象書類名】明細書
【補正対象項目名】００４９
【補正方法】変更
【補正の内容】
【００４９】
図５に示すように、磁気テープドライブ１Ｂは、磁気パターンＭＰ（図２参照）を走行方向に所定間隔で繰り返すサーボ信号が予め書き込まれた磁気テープＭＴに対し、データの記録および再生を行う装置であり、ベース１０上に、磁気テープ搬送装置２０と、制御装置５０と、磁気ヘッド６０と、アクチュエータ７０とを主に備えて構成されている。
【手続補正１１】
【補正対象書類名】明細書
【補正対象項目名】００６１
【補正方法】変更
【補正の内容】
【００６１】
そして、位置制御部５５は、波形選択部５３が選択した谷形部Ｗ２に基づいて、磁気ヘッド６０の幅方向の位置を制御する（位置制御工程）。これにより、記録時にはデータバンドＤＢに対して正確にデータ記録素子ＤＷを位置させることができ、再生時にはデータバンドＤＢに対して正確にデータ再生素子ＤＲを位置させることができる。
【手続補正１２】
【補正対象書類名】明細書
【補正対象項目名】００７０
【補正方法】変更
【補正の内容】
【００７０】
（実験方法）
磁気テープに対し、磁気ギャップ１μｍの書込ヘッドを備えたサーボライタを用いて、ＬＴＯ規格に準じたサーボパターンを書き込んだ。
書込時のパルス信号の通電時間    ３１ｎｓ，６３ｎｓ，１０４ｎｓ，１３０ｎｓ
【手続補正１３】
【補正対象書類名】図面
【補正対象項目名】図６
【補正方法】変更
【補正の内容】
【図６】
2012053941.tif 000001